(57)【要約】  本発明は、少なくとも１つの切断ユニット７，７Ａ，７Ｂを有するシェービングヘッドに関する。切断ユニットは、シェービングヘッド本体４，８に対して第１の傾斜軸周りに傾斜可能であるリング状肌支持傾斜部材と、外部切断部材と、内部切断部材と、保持部と、を有する。本発明によれば、保持部は、ロック機能、二次傾斜機能、遊動防止機能を同時に供給する多目的な保持部である。この多目的な保持部により、シェービング装置は、高いシェービング性能とともに、清掃の容易さをもたらす。
2017514624.tif 000002
【特許請求の範囲】
【請求項１】
体毛のためのシェービング装置において使用されるシェービングヘッドであって、前記シェービングヘッドは、シェービングヘッド本体と少なくとも１つの切断ユニットとを有し、前記切断ユニットは、
リング状肌支持傾斜部材であって、リング状肌支持表面と前記リング状肌支持傾斜部材に沿って相互に異なる場所に配置される２つの対向する第１のサスペンション部とを有するとともに、前記第１のサスペンション部を介して、第１の傾斜軸周りに第１の傾斜可能な態様で前記シェービングヘッド本体に対して懸下される前記リング状肌支持傾斜部材と、
毛が通ることを可能にするための開口構造によって遮られる肌シェービング表面を有する外部切断部材と、
前記開口構造を通る毛を切断するため、前記外部切断部材の前記肌シェービング表面において前記開口構造に沿った動きで駆動可能な内部切断部材と、
保持部と、
を有し、
前記切断ユニットは、前記シェービングヘッドの動作のための組み立てられた状態と、前記切断ユニットの清掃のための分解された状態と、を持ち、前記組み立てられた状態及び前記分解された状態における、前記リング状肌支持傾斜部材、前記外部切断部材、前記内部切断部材、及び、前記保持部は、それぞれ、互いに対して、組み立てられ、少なくとも部分的に分解され、
前記組み立てられた状態において、前記切断ユニットは、シェービング動作の間、肌に接触するための肌接触表面を持ち、前記肌接触表面は、前記リング状肌支持表面と、前記肌シェービング表面と、を有し、前記肌支持表面は、前記肌シェービング表面を少なくとも部分的に囲み、
前記切断ユニットの前記組み立てられた状態は、手動で前記保持部を前記切断ユニットの他の部分に対してロックされた状態にすることにより、前記シェービングヘッドの開けられた状態において、前記分解された状態から取得可能であり、一方、前記分解された状態は、前記シェービングヘッドの前記開けられた状態において、手動で前記保持部を前記ロックされた状態から解くことにより、前記組み立てられた状態から取得可能であり、
前記リング状肌支持傾斜部材は、前記リング状肌支持傾斜部材に沿って相互に異なる場所に配置される２つの対向する第２のサスペンション部を更に有し、前記第２のサスペンション部を介して、前記組み立てられた状態において、前記外部切断部材は、前記第１の傾斜軸に対して非ゼロの角度で延在する第２の傾斜軸周りに第２の傾斜可能な態様で前記リング状肌支持傾斜部材に対して懸下され、
前記切断ユニットの前記組み立てられた状態における前記保持部の前記ロックされた状態は、前記切断ユニット内の前記保持部の相対配向に対応し、前記保持部の前記相対配向は、
（ｉ）前記外部切断部材が、前記第２の傾斜可能な態様で前記リング状肌支持傾斜部材に対して懸下されること、
（ｉｉ）前記外部切断部材が、前記第２の傾斜軸を横切る方向において、２．０ミリメートルの遊び距離より大きく移動できないこと、
をもたらす、シェービングヘッド。
【請求項２】
前記切断ユニットの前記組み立てられた状態において、前記保持部が、ロックされた状態にあり、前記保持部は、
前記第１の傾斜軸周りの前記第１の傾斜可能な態様における前記シェービングヘッド本体に対する前記肌支持傾斜部材の前記傾斜の動き、
前記第２の傾斜軸周りの前記第２の傾斜可能な態様における前記リング状肌支持傾斜部材に対する前記外部切断部材の前記傾斜の動き、
に同時に従う、請求項１記載のシェービングヘッド。
【請求項３】
前記リング状肌支持傾斜部材の前記２つの対向する第２のサスペンション部が、前記保持部の第２のスナップ式接続構造と協働する第１のスナップ式接続構造を有し、前記切断ユニットの前記組み立てられた状態における前記保持部の前記ロックされた状態が、前記第１のスナップ式接続構造と前記第２のスナップ式接続構造との間のスナップ式接続によって供給される、請求項２記載のシェービングヘッド。
【請求項４】
前記切断ユニットが、リング状追加傾斜部材を更に有し、前記切断ユニットの前記組み立てられた状態において見られるように、
前記リング状追加傾斜部材が、前記リング状肌支持傾斜部材、前記外部切断部材、前記内部切断部材、及び、前記保持部とともに組み立てられ、
前記リング状追加傾斜部材が、前記リング状肌支持傾斜部材の前記２つの対向する第２のサスペンション部を介して、前記第２の傾斜可能な態様で前記リング状肌支持傾斜部材に対して懸下され、
前記リング状追加傾斜部材が、前記保持部の第４のスナップ式接続構造と協働する第３のスナップ式接続構造を有し、前記切断ユニットの前記組み立てられた状態における前記保持部の前記ロックされた状態が、前記第３のスナップ式接続構造と前記第４のスナップ式接続構造との間のスナップ式接続によって供給される、請求項２記載のシェービングヘッド。
【請求項５】
前記切断ユニットの前記組み立てられた状態において見られるように、前記リング状追加傾斜部材が、前記シェービング動作の間、肌と接触しない、請求項４記載のシェービングヘッド。
【請求項６】
前記切断ユニットの前記組み立てられた状態において、前記保持部が、前記ロックされた状態にあり、前記保持部が、前記第１の傾斜軸周りの前記第１の傾斜可能な態様における前記シェービングヘッド本体に対する前記肌支持傾斜部材の前記傾斜の動きに従う一方、前記第２の傾斜軸周りの前記第２の傾斜可能な態様における前記リング状肌支持傾斜部材に対する前記外部切断部材の前記傾斜の動きに従わない、請求項１記載のシェービングヘッド。
【請求項７】
前記リング状肌支持傾斜部材が、第１のインターロック構造を有し、前記保持部が、第２のインターロック構造を有し、前記切断ユニットの前記組み立てられた状態における前記保持部の前記ロックされた状態を実現するため、前記第１のインターロック構造が、前記第２のインターロック構造と協働し、
前記リング状肌支持傾斜部材の前記２つの第２のサスペンション部が、２つの第１の橋台部をそれぞれ有し、
前記切断ユニットの前記組み立てられた状態における前記保持部の前記ロックされた状態において見られるように、
前記保持部が、前記２つの第１の橋台部とはそれぞれ反対側にある２つの第２の橋台部を有し、前記外部切断部材の第１の部分が一の第１の筐体部と前記一の第１の筐体部の反対側にある一の第２の橋台部との間にあり、前記外部切断部材の第２の部分が他の第１の筐体部と他の第２の橋台部との間にあり、
前記第２の傾斜軸が、前記外部切断部材の前記第１の部分と前記外部切断部材の前記第２の部分とを通る一方、前記第１の橋台部及び前記第２の橋台部の橋台動作が、前記外部切断部材が前記第２の傾斜軸を横切る方向に移動できないようにする、請求項６記載のシェービングヘッド。
【請求項８】
前記第１の傾斜軸及び前記第２の傾斜軸が、互いに対して垂直である、請求項１乃至７のいずれか１項に記載のシェービングヘッド。
【請求項９】
前記駆動可能な内部切断部材の前記動作が、前記第１の傾斜軸と前記第２の傾斜軸との両方に対して垂直な回転軸周りの回転運動を有する、請求項１乃至８のいずれか１項に記載のシェービングヘッド。
【請求項１０】
体毛のためのシェービング装置であって、
前記シェービング装置のユーザによって把持されるとともに、前記シェービング装置の様々な部材を収容するように機能するシェービング装置本体と、
請求項１乃至９のいずれか１項に記載のシェービングヘッドであって、前記シェービング装置の動作のため、前記シェービング装置本体に接続された、又は、接続可能である前記シェービングヘッドと、
を有する、シェービング装置。
【発明の詳細な説明】
【技術分野】
【０００１】
本発明は、体毛のためのシェービング装置に関する。より具体的には、本発明は、少なくとも１つの切断ユニットを有するシェービングヘッドに関する。切断ユニットは、外部切断部材と、内部切断部材と、を有する。外部切断部材は、肌シェービング表面を持ち、一方、内部切断部材は、開口構造を通る毛を切断するため、かかる肌シェービング表面において開口構造に沿った動きで駆動可能である。
【背景技術】
【０００２】
かかるシェービング装置に関し、当該装置は、高いシェービング性能をもたらすとともに、容易に清掃可能であることが望まれる。一般的には、高いシェービング性能は、シェービングヘッドのより複雑な設計を必要とする。これらのより高度な複雑性は、一般的に、シェービングヘッド、特にその切断ユニットのより複雑な清掃につながる。
【発明の概要】
【発明が解決しようとする課題】
【０００３】
本発明の目的は、高いシェービング性能をもたらすとともに、容易且つ適切に清掃可能なシェービング装置を提供することである。
【課題を解決するための手段】
【０００４】
この目的のため、本発明は、「多目的保持部主義」に従ったシェービングヘッドを提供する。この省略的表現が、容易なプレゼンテーション及び理解のために、ここでは用いられる。当該表現は、以下において、定義及び説明される。
【０００５】
本明細書では、上記多目的保持部主義に従ったシェービングヘッドは、体毛のためのシェービング装置において使用されるシェービングヘッドであって、前記シェービングヘッドは、シェービングヘッド本体と少なくとも１つの切断ユニットとを有し、前記切断ユニットは、リング状肌支持傾斜部材であって、リング状肌支持表面と前記リング状肌支持傾斜部材に沿って相互に異なる場所に配置される２つの対向する第１のサスペンション部とを有するとともに、前記第１のサスペンション部を介して、第１の傾斜軸周りに第１の傾斜可能な態様で前記シェービングヘッド本体に対して懸下される前記リング状肌支持傾斜部材と、毛が通ることを可能にするための開口構造によって遮られる肌シェービング表面を有する外部切断部材と、前記開口構造を通る毛を切断するため、前記外部切断部材の前記肌シェービング表面において前記開口構造に沿った動きで駆動可能な内部切断部材と、保持部と、を有し、前記切断ユニットは、前記シェービングヘッドの動作のための組み立てられた状態と、前記切断ユニットの清掃のための分解された状態と、を持ち、前記組み立てられた状態及び前記分解された状態における、前記リング状肌支持傾斜部材、前記外部切断部材、前記内部切断部材、及び、前記保持部は、それぞれ、互いに対して、組み立てられ、少なくとも部分的に分解され、前記組み立てられた状態において、前記切断ユニットは、シェービング動作の間、肌に接触するための肌接触表面を持ち、前記肌接触表面は、前記リング状肌支持表面と、前記肌シェービング表面と、を有し、前記肌支持表面は、前記肌シェービング表面を少なくとも部分的に囲み、前記切断ユニットの前記組み立てられた状態は、手動で前記保持部を前記切断ユニットの他の部分に対してロックされた状態にすることにより、前記シェービングヘッドの開けられた状態において、前記分解された状態から取得可能であり、一方、前記分解された状態は、前記シェービングヘッドの前記開けられた状態において、手動で前記保持部を前記ロックされた状態から解くことにより、前記組み立てられた状態から取得可能であり、前記リング状肌支持傾斜部材は、前記リング状肌支持傾斜部材に沿って相互に異なる場所に配置される２つの対向する第２のサスペンション部を更に有し、前記第２のサスペンション部を介して、前記組み立てられた状態において、前記外部切断部材は、前記第１の傾斜軸に対して非ゼロの角度で延在する第２の傾斜軸周りに第２の傾斜可能な態様で前記リング状肌支持傾斜部材に対して懸下され、前記切断ユニットの前記組み立てられた状態における前記保持部の前記ロックされた状態は、前記切断ユニット内の前記保持部の相対配向に対応し、前記保持部の前記相対配向は、（ｉ）前記外部切断部材が、前記第２の傾斜可能な態様で前記リング状肌支持傾斜部材に対して懸下されること、（ｉｉ）前記外部切断部材が、前記第２の傾斜軸を横切る方向において、２．０ミリメートルの遊び距離より大きく移動できないこと、をもたらす、シェービングヘッドである。
【０００６】
上述のように、上記遊び距離は、２．０ミリメートルである。しかしながら、好ましくは、上記遊び距離は、１．０ミリメートルであり、より好ましくは、０．５ミリメートルであり、さらに好ましくは、０．３ミリメートルである。
【０００７】
上記記載から、多目的保持部主義に従ったシェービングヘッドは、特に、以下の複数の目的を同時に果たす上述の保持部を有する。
【０００８】
（１）ロック機能
複数の同時の目的のうちの最初の１つは、この保持部が、切断ユニットの部品を、それぞれ、アンロック及びロックする、即ち、分解し、及び、組み立てるために手動操作され得ることである。この観点から、保持部の上記第１の目的は、以下では、保持部によってもたらされる「ロック機能」とも称される。
【０００９】
（２）二次傾斜機能
複数の同時の目的のうちの２つ目は、三次元的に湾曲した肌表面に沿ってシェービングヘッドをユーザが動かす際、外部切断部材の肌シェービング表面が連続的且つ自動的にその向きをシェービングヘッド内で適合させるように、保持部が、前記第１の傾斜可能な態様で肌支持傾斜部材の前記サスペンションとともに、前記第２の傾斜可能な態様で外部切断部材の前記サスペンションをもたらすことである。この観点から、保持部の上記第２の目的は、以下では、保持部によってもたらされる「二次傾斜機能」とも称される。
【００１０】
（３）遊動防止機能
複数の同時の目的のうちの３つ目は、保持部が、外部切断部材が、第２の傾斜軸を横切る方向へ上記遊び距離を越えて移動できないようにすることである。なお、外部切断部材が傾斜することを許容された軸方向を横切る方向に上記遊び距離を越えて移動できるシェービングヘッドが知られていることに留意すべきである。かかる態様で移動可能な外部切断部材は、しばしば、「遊動（floating）」部材と称されている。この観点から、保持部の上記第３の目的は、以下では、保持部によってもたらされる「遊動防止機能」とも称される。
【００１１】
要約すると、本発明に係るシェービングヘッドの保持部は、ロック機能、二次傾斜機能、及び、遊動防止機能を同時にを供給する。従って、本発明に係るシェービングヘッドの保持部は、以下では、「多目的保持部」とも称される。
【００１２】
遊動防止機能と組み合わせられる二次傾斜機能のため、本発明に係るシェービングヘッドは、高いシェービング性能を持つ。上述のように、二次傾斜機能は、三次元的に湾曲した肌表面に沿ってシェービングヘッドをユーザが動かす際、外部切断部材が、連続的且つ自動的にその向きを適合させることを可能にする。この連続的且つ自動的な適合可能な配向、即ち、同時的な２つの非平行な傾斜軸周りの配向のおかげで、肌とシェービング表面との間の接触による圧力は、シェービング表面に亘って極めて均一に分布されるように保たれる。同時に、遊動防止機能により、シェービング表面は、連続的且つ自動的な配向適合の間、しっかりとした圧力の下、肌との接触状態を維持される。この三次元的に湾曲した肌表面に対する外部切断部材の配向適合性の向上の観点において、遊動は、原則的に、追加的な次元として見られ得ることに留意すべきである。しかしながら、２つの非平行な傾斜軸周りの上記傾斜可能性と組み合わせて、遊動は、連続的且つ自動的な配向適合の間、肌との劣化した圧力接触レベルを含む。これらの理由のため、二次傾斜機能と遊動防止機能との組み合わせは、極めて均一な分布と、しっかりとした肌接触圧力レベルとを供給し、これらが、上記の高いシェービング性能につながる。
【００１３】
高いシェービング性能の実現が、一般的には、シェービングヘッドのより複雑な設計を要し、これが、シェービングヘッドの（特に、その切断ユニットの）より複雑な清掃につながるという事実にも関わらず、本発明に係るシェービングヘッドは、容易に清掃できる。これは、本発明において用いられる多目的保持部の特定の多目的特性のおかげである。なお、多目的特性は、保持部の上記ロック機能を含む。
【００１４】
例えば、シェービング後、ユーザがシェービングヘッドを清掃したい場合、ユーザは、例えば、シェービングヘッドの組み立てられた切断ユニットの多目的保持部へのアクセスを得るために、シェービングヘッドを開くことができる。シェービングヘッドのこの開かれた状態において、このときロックされた状態にある多目的保持部は、内部切断部材及び外部切断部材などの切断ユニットの部品が、開かれたシェービングヘッドから不意に落下することを防止する。次に、多目的保持部を単純にアンロックすることによって、二次傾斜機能及び遊動防止機能が、自動的に、非アクティベートされ、切断ユニットが、内部切断部材及び外部切断部材などの別個且つ効果的な清掃のために分解され得る。清掃後、切断ユニットは、再び組み立てられ、多目的保持部を単純にロックすることによってロックされ、同時に、二次傾斜機能と遊動防止機能とが自動的に再アクティベートされる。シェービングヘッドは、再び、閉じられることができる。
【００１５】
Ｉ．Ａ  二重傾斜追従保持部の実施形態
以下では、「二重傾斜追従保持部の実施形態」と称される、本発明の好適な実施形態は、切断ユニットの上記組み立てられた状態において、保持部が、ロックされた状態にあり、保持部は、上記第１の傾斜軸周りの上記第１の傾斜可能な態様におけるシェービングヘッド本体に対する肌支持傾斜部材の傾斜の動き、上記第２の傾斜軸周りの上記第２の傾斜可能な態様におけるリング状肌支持傾斜部材に対する外部切断部材の傾斜の動き、に同時に従うことにより特徴付けられる。
【００１６】
この結果、二重傾斜追従保持部の実施形態によれば、保持部は、外部切断部材の上記２つの傾斜の動きの両方に従う。これは、切断ユニットの小型化設計につながる。
【００１７】
Ｉ．Ａ（ｉ）  スナップ式接続二次傾斜の実施形態
以下、「スナップ式接続二次傾斜の実施形態」と称される、上記二重傾斜追従保持部の実施形態の好ましい実施形態では、リング状肌支持傾斜部材の上記２つの対向する第２のサスペンション部が、保持部の第２のスナップ式接続構造と協働する第１のスナップ式接続構造を有し、切断ユニットの上記組み立てられた状態における保持部の上記ロックされた状態が、第１のスナップ式接続構造と第２のスナップ式接続構造との間のスナップ式接続によって供給される。第２の傾斜軸周りの傾斜を可能にする上記スナップ式接続構造の付与は、切断ユニットの小型化設計を更に促進し、切断ユニットの別個の部品数を少なく保ち、切断ユニットの組み立て及び分解をユーザフレンドリにする。
【００１８】
Ｉ．Ａ（ｉｉ）  追加的傾斜リングの実施形態
以下、「追加的傾斜リングの実施形態」と称される、上記二重傾斜追従保持部の実施形態の他の好ましい実施形態では、切断ユニットが、リング状追加傾斜部材を更に有し、切断ユニットの組み立てられた状態において見られるように、リング状追加傾斜部材が、リング状肌支持傾斜部材、外部切断部材、内部切断部材、及び、保持部とともに組み立てられ、リング状追加傾斜部材が、リング状肌支持傾斜部材の２つの対向する第２のサスペンション部を介して、第２の傾斜可能な態様でリング状肌支持傾斜部材に対して懸下され、リング状追加傾斜部材が、保持部の第４のスナップ式接続構造と協働する第３のスナップ式接続構造を有し、切断ユニットの組み立てられた状態における保持部のロックされた状態が、第３のスナップ式接続構造と第４のスナップ式接続構造との間のスナップ式接続によって供給される。
【００１９】
上記リング状追加傾斜部材の付与は、第２の傾斜軸が、肌の高さのより近くに運ばれることを可能にし、これは、ユーザがシェービングヘッドを三次元的に湾曲した肌表面に沿って移動させる場合の外部切断部材の挙動を改善する。一方、リング状追加傾斜部材と保持部との間の接続のために上記スナップ式接続構造を付与することは、切断ユニットの小型化設計を更に促進し、切断ユニットの別個の部品数を少なく保ち、切断ユニットの組み立て及び分解をユーザフレンドリにする。
【００２０】
上述の追加的傾斜リングの実施形態の好ましい実施形態は、切断ユニットの組み立てられた状態において見られるように、リング状追加傾斜部材が、シェービング動作の間、肌と接触することを防止されることにより特徴付けられる。換言すれば、リング状肌支持傾斜部材とは異なり、リング状追加傾斜部材は、肌支持表面を持たない。これは、リング状追加傾斜部材が、肌支持表面を収容するための任意の空間を必要としないことを意味する。このため、切断ユニットの肌接触表面内では、リング状追加傾斜部材の肌支持表面の有用性のため、肌シェービング表面の表面積の一部を犠牲にする必要がない。これは、シェービング性能を改善する。
【００２１】
Ｉ．Ｂ  単一傾斜追従保持部の実施形態
以下、「単一傾斜追従保持部の実施形態」と称される、本発明の他の好ましい実施形態は、切断ユニットの上記組み立てられた状態において、保持部が、ロックされた状態にあり、保持部が、第１の傾斜軸周りの第１の傾斜可能な態様におけるシェービングヘッド本体に対する肌支持傾斜部材の傾斜の動きに従う一方、第２の傾斜軸周りの第２の傾斜可能な態様におけるリング状肌支持傾斜部材に対する外部切断部材の前記傾斜の動きに従わないことにより特徴付けられる。この単一傾斜追従保持部の実施形態では、保持部が、上記第２の傾斜軸周りの上記第２の傾斜可能な態様における、リング状肌支持傾斜部材に対する外部切断部材の傾斜の動きに追従しないため、保持部、及び、切断ユニット内に適合される方法が、より単純で、堅固且つ信頼性のある態様で、設計されることができ、これが、保持部及び切断ユニットのユーザフレンドリ性及び寿命に良い影響をもたらす。
【００２２】
上述の単一傾斜追従保持部の実施形態の好ましい実施形態は、リング状肌支持傾斜部材が、第１のインターロック構造を有し、保持部が、第２のインターロック構造を有し、切断ユニットの組み立てられた状態における保持部のロックされた状態を実現するため、第１のインターロック構造が、第２のインターロック構造と協働し、リング状肌支持傾斜部材の２つの第２のサスペンション部が、２つの第１の橋台部をそれぞれ有し、切断ユニットの組み立てられた状態における保持部のロックされた状態において見られるように、保持部が、２つの第１の橋台部とはそれぞれ反対側にある２つの第２の橋台部を有し、外部切断部材の第１の部分が一の第１の筐体部と一の第１の筐体部の反対側にある一の第２の橋台部との間にあり、外部切断部材の第２の部分が他の第１の筐体部と他の第２の橋台部との間にあり、第２の傾斜軸が、外部切断部材の第１の部分と外部切断部材の第２の部分とを通る一方、第１の橋台部及び第２の橋台部の橋台動作が、外部切断部材が第２の傾斜軸を横切る方向に移動できないようにすることにより特徴付けられる。
【００２３】
リング状肌支持傾斜部材の上記第１の橋台部と保持部の第２の筐体部とによる、単一傾斜追従保持部の実施形態の実現は、保持部及び切断ユニットの改善された単純性、堅牢性、及び、信頼性に更につながる。
【００２４】
上述のように、本発明に係るシェービングヘッドのため、第２の傾斜軸は、第１の傾斜軸に対して非ゼロの角度で延在する。換言すれば、第２の傾斜軸は、第１の傾斜軸に対して平行でない。
【００２５】
本発明の上述した実施形態のいずれか１つと組み合わせて用いられ得る、本発明の他の好ましい実施形態では、第１の傾斜軸と第２の傾斜軸とが、互いに対して垂直に延在する。かかる垂直構成（即ち、第１の傾斜軸と第２の傾斜軸との間には９０°の角度がある）は、多くのシェービングヘッド構成において、シェービングの間、外部切断部材の肌シェービング表面の向きの最も好ましい適合挙動につながると考えられる。しかしながら、多くのシェービングヘッド構成において、上記非ゼロの角度が上記水力構成に係る９０°により近い場合、上記適合挙動は最もよく改善するが、第１の傾斜軸と第２の傾斜軸との間の他の非ゼロ角度も同様に機能するであろう。
【００２６】
上述したように、本発明に係るシェービングヘッドのため、内部切断部材は、開口構造を通る毛を切断するため、外部切断部材の肌シェービング表面における上記開口構造に沿って移動するように駆動可能である。原則的には、駆動可能な内部切断部材の上記の動きは、往復移動運動、（往復及び／又は連続的）回転運動、又は、往復移動運動と（）（往復及び／又は連続的）回転運動との組み合わせなどの、様々な性質の動きを有していてもよい。
【００２７】
本発明の上述の実施形態のうちの任意の１つと組み合わせて用いられ得る、本発明の他の好ましい実施形態では、駆動可能な内部切断部材の上記動きは、第１の傾斜軸と第２の傾斜軸との両方に対して垂直な回転軸周りの回転運動を有する。第１及び第２の傾斜軸の両方に対して垂直な回転の軸周りに駆動される回転運動に沿った第１及び第２の傾斜軸周りの二重の傾斜可能性の組み合わせは、切断ユニットの肌接触表面の小型化を達成可能にすると同時に、効果的なシェービング性能を供給する。
【００２８】
また、本発明は、体毛のためのシェービング装置であって、シェービング装置のユーザによって把持されるとともに、シェービング装置の様々な部材を収容するように機能するシェービング装置本体と、本発明の上述の任意の１つに係るシェービングヘッドであって、シェービング装置の動作のため、シェービング装置本体に接続された、又は、接続可能であるシェービングヘッドと、を有する、シェービング装置において実現され得る。
【図面の簡単な説明】
【００２９】
本発明の上記態様及び他の態様が、非限定的な例でしかない以下に説明される実施形態、及び、添付の図面における概略的な図を参照して、明確且つ明らかとなろう。
【図１】図１は、斜視図において、上述の多目的保持部主義に従ったシェービングヘッドの実施形態の一例を有する、本発明に係るシェービング装置の一例を示している。より具体的には、図１のシェービングヘッドは、上述の二重傾斜追従保持部の実施形態の一例である。更に具体的には、図１のシェービングヘッドは、上述のスナップ式接続二次傾斜実施形態の一例である。
【図２】図２は、斜視図において、シェービングヘッドが開けられた状態における、図１のシェービングヘッドを示している。
【図３】図３は、斜視図において、切断ユニットの分解された状態における、図２のシェービングヘッドの３つの同一の切断ユニットのうちの１つを別個に示している。
【図４】図４は、図３と同じ状況を示しているが、当該斜視図は、異なる方向から観察されている。
【図５Ａ】図５Ａは、斜視図において、図３の切断ユニットを示しているが、今回は、切断ユニットが組み立てられた状態である。
【図５Ｂ】図５Ｂは、図３の組み立てられた切断ユニットを再び示しているが、今回は、切断ユニットの第１の傾斜軸に対して平行な方向からの視点に対応する第１の側から見た場合である。
【図５Ｃ】図５Ｃは、図３の組み立てられた切断ユニットを再び示しているが、今回は、切断ユニットの第２の傾斜軸に対して平行な方向からの視点に対応する第２の側から見た場合である。
【図５Ｄ】図５Ｄは、図５Ｃの状況を再び示しているが、今回は、図５Ｃの状況から開始し、外部切断部材が、第２の傾斜軸周りに、及び、リング状肌支持傾斜部材に対して、２〜３度時計回りに傾斜されている。
【図５Ｅ】図５Ｅは、図５Ｄの状況を示しているが、今回は、上記傾斜が、２〜３度反時計回りに実行されている。
【図６】図６は、図２の状況を再び示しているが、図６のシェービングヘッドは、図６のシェービングヘッドが、図２のシェービングヘッドの３つの同一の切断ユニットとは異なる、３つの同一の切断ユニットを持つという点のみで、図２のシェービングヘッドとは異なっている。また、図６のシェービングヘッドは、上述した多目的保持部主義に従ったシェービングヘッドの実施形態の一例である。この点で、図１のシェービング装置は、図２のシェービングヘッドの代わりに、図６のシェービングヘッドを含む場合、本発明に係るシェービング装置であることを維持している。図２のシェービングヘッドのように、図６のシェービングヘッドは、上述した二重傾斜追従保持部の実施形態の一例である。しかしながら、図６のシェービングヘッドは、上述したスナップ式接続二次傾斜実施形態の一例ではない。その代わりに、図６のシェービングヘッドは、上述した追加的傾斜リングの実施形態の一例である。
【図７】図７は、斜視図において、切断ユニットが分解された状態で、図６のシェービングヘッドの３つの同一の切断ユニットのうちの１つを別個に示している。
【図８Ａ】図８Ａは、斜視図において、図７の切断ユニットを示しているが、今回は、切断ユニットが組み立てられた状態にある。
【図８Ｂ】図８Ｂは、図７の組み立てられた切断ユニットを再び示しているが、今回は、切断ユニットの第１の傾斜軸に対して平行な方向における視点に対応する第１の側から見た場合である。
【図８Ｃ】図８Ｃは、図７の組み立てられた切断ユニットを再び示しているが、今回は、切断ユニットの第２の傾斜軸に平行な方向における視点に対応する第２の側から見た場合である。
【図８Ｄ】図８Ｄは、図８Ｃの状況を再び示しているが、今回は、図８Ｃの状況から開始し、外部切断部材が、第２の傾斜軸周りに、及び、リング状肌支持傾斜部材に対して、２〜３度時計回りに傾斜されている。
【図８Ｅ】図８Ｅは、図８Ｄの状況を示しているが、今回は、上記傾斜が、２〜３度反時計回りに実行されている。
【図９】図９は、斜視図において、図３と類似の状況を示しているが、図９の切断ユニットは、図９の切断ユニットが、上述した単一傾斜追従保持部の実施形態のシェービングヘッドの切断ユニットの実施形態の一例である点で、図３の切断ユニットと異なっている。
【図１０】図１０は、図９と同じ状況を示しているが、当該斜視図は、異なる方向から観察されている。
【図１１Ａ】図１１Ａは、平面図において、上述した単一傾斜追従保持部の実施形態のシェービングヘッドの実施形態の一例を示している。ここで、図１１Ａのシェービングヘッドは、２つの切断ユニットを持ち、各々が、図９及び図１０において示される切断ユニットと同一である。
【図１１Ｂ】図１１Ｂは、組み立てられた状態で、横断面図において、図１１Ａの矢印ＸＩ−Ｂによって示される平面に沿って見た場合の、図１１Ａの２つの同一の切断ユニットのうちの１つを示している。ここで、かかる平面は、上記矢印ＸＩ−Ｂの方向において見られており、示されている切断ユニットの第２の傾斜軸に平行な方向における視点に対応する上記横断面は、部分的にゴーストビューである。
【図１２Ａ】図１２Ａは、図１１Ｂの組み立てられた状態を再び示しているが、今回は、図１１Ｂの状況から開始し、外部切断部材が、第２の傾斜軸周りに、及び、リング状肌支持傾斜部材に対して、２〜３度時計回りに傾斜されている。
【図１２Ｂ】図１２Ｂは、図１１Ｂの状況を示しているが、今回は、上記傾斜が、２〜３度反時計回りに実行されている。  同一の参照符号が上記図１乃至図１２Ｂの異なる図面を通じて用いられる場合、これらの参照符号は、同一又は類似の部分又は態様を示すことに留意すべきである。
【発明を実施するための形態】
【００３０】
最初に、上述した多目的保持部主義に従った、より具体的には、上述の二重傾斜追従保持部の実施形態に従った、更に具体的には、上述のスナップ式接続二次傾斜実施形態に従った、シェービングヘッド３を図示する図１、図２、図３、図４、図５Ａ〜図５Ｅについて述べる。
【００３１】
図１は、シェービング装置本体２と、シェービング装置本体２に接続されたシェービングヘッド３と、を有するシェービング装置１を示している。一方、図２は、シェービングヘッド３が、２つの部分４，５に分解され得ることを示している。部分５は、シェービングヘッド３の３つの同一の切断ユニット７，７Ａ，７Ｂが接続されるフレーム８を持つ。部分４は、３つの切断ユニット７，７Ａ，７Ｂの３つの内部切断部材７３をそれぞれ駆動するための３つの駆動シャフト６，６Ａ，６Ｂを持つ。部分４と部分５のフレーム８とは、３つの切断ユニット７，７Ａ，７Ｂを支持するシェービングヘッド本体を協働して構成する。
【００３２】
切断ユニット７の、リング状肌支持傾斜部材、外部切断部材、内部切断部材、及び、保持部が、参照符号７１，７２，７３，７４でそれぞれ示されている（図３及び図４において最もよく分かる）。
【００３３】
リング状肌支持傾斜部材７１の２つの対向する第１のサスペンション部が、参照符号７５で示されている。これらの第１のサスペンション部７５を介して、また、スナップ式接続により、肌支持傾斜部材７１は、第１の傾斜軸周りに第１の傾斜可能な態様で、フレーム８（図２参照）に対して懸下されている。この傾斜軸１１は、図５Ａ及び図５Ｂにおいて、参照符号１１で示されている。
【００３４】
上述のリング状肌支持表面及び肌シェービング表面が、図３において、参照符号８１，８２でそれぞれ示されている。また、それらは、図５Ａ及び図５Ｂにおいて見られるように、シェービング動作の間、肌に接触するための上述の肌接触表面を協働して形成する。
【００３５】
図３及び図４は、保持部７４が、以下では支点ピンと称される、２つの対向する放射状に延在しているピン状突起部７７を持つことを示している。一方、リング状肌支持傾斜部材７１は、２つの対向する放射状に延在する凹部７８を持つ。さらに、保持部７４は、以下ではつまみ要素７６と称される、２つの対向する軸方向に延在する突起部７６を持つ。
【００３６】
図３及び図４に示される、その分解された状態から開始して、切断ユニット７は、以下の態様において、図１、図２、及び、図５Ａ〜図５Ｅに示される、その組み立てられた状態にさせられ得る。ユーザは、外部切断部材７２をリング状肌支持傾斜部材７１の中に挿入し、内部切断部材７３を外部切断部材７２の中に挿入し、次いで、以下の態様において、リング状肌支持傾斜部材７１と保持部７４との間において、外部切断部材７２と内部切断部材７３とをロックしてもよい。保持部７４は、まず、保持部７４の支点ピン７７がリング状肌支持傾斜部材７１の凹部７８と同じ軸方向位置にある点までリング状肌支持傾斜部材７１の中に軸方向に移動され得る。次に、ユーザは、凹部７８において支点ピン７７のスナップ式接続を得るために、リング状肌支持傾斜部材７１に対して、軸方向周りに保持部７４を回転させてもよい。保持部７４の上記相対的な回転は、つまみ要素７６のおかげでより容易になされる。勿論、切断ユニット７の分解は、上述したステップを逆順で実行することによってなされ得る。
【００３７】
このため、切断ユニット７が組み立てられた状態において、支点ピン７７は、旋回可能な態様で、凹部７８において受けられる。その結果として、外部切断部材７２は、第２の傾斜軸周りに上述した第２の傾斜可能な態様で、リング状肌支持傾斜部材７１に対して懸下される。この第２の傾斜軸は、図５Ａ及び図５Ｃ〜図５Ｅにおいて、参照符号１２で示されている。上記組み立てられた状態において、保持部７４は、外部切断部材７２が第２の傾斜軸１２を横切る方向に移動することを防止することに留意すべきである。外部切断部材７２は、図５Ｄ及び図５Ｅに図示されているように、第２の傾斜軸１２周りにのみ傾斜可能である。
【００３８】
図１、図２、図３、図４、図５Ａ〜図５Ｅから、保持部７４は、特に、ここで最初に議論されるような多目的、即ち、「ロック機能」、「二次傾斜機能」、「遊動防止機能」を同時に果たすことが明らかである。換言すれば、シェービングヘッド３は、上述した多目的保持部主義に従っている。さらに、保持部７４は、ロックされた状態において、第１の傾斜軸１１周りのシェービングヘッド本体４，８に対する肌支持傾斜部材７１の傾斜の動きと、第２の傾斜軸１２周りのリング状肌支持傾斜部材７１に対する外部切断部材７２の傾斜の動きと、に同時に追従し、このことが、シェービングヘッド３を、上述の二重傾斜追従保持部の実施形態に従ったシェービングヘッドにしていることが明らかである。また、シェービングヘッド３が、上述のスナップ式接続二次傾斜実施形態に従ったシェービングヘッドであることが明らかになっている。
【００３９】
ここで、上述の多目的保持部主義に従った、より具体的には、上述の二重傾斜追従保持部の実施形態に従った、更に具体的には、上述の追加的傾斜リングの実施形態に従った、シェービングヘッド１０３を図示する、図６、図７、図８Ａ〜図８Ｅを参照する。
【００４０】
図６に示されるようなシェービングヘッド１０３の構成は、図２に示されるシェービングヘッド３の構成と極めて類似している。実際、シェービングヘッド１０３は、図１のシェービング装置１において、シェービングヘッド３の代わりに、付与されてもよい。
【００４１】
図６、図７、図８Ａ〜図８Ｅは、それぞれ、図２、図３、図５Ａ〜図５Ｅと極めて類似している。実際、図２、図３、図５Ａ〜図５Ｅの実施形態と本質的に異なっているのは、シェービングヘッド１０３の切断ユニット１０７（切断ユニット１０７Ａ，１０７Ｂと同一である）が、シェービングヘッド３の切断ユニット７とは異なっているという点のみである（図７において最も良く分かる）。
【００４２】
切断ユニット１０７の、リング状肌支持傾斜部材、外部切断部材、内部切断部材、及び、保持部が、それぞれ、参照符号１７１，１７２，１７３，１７４で示されている。
【００４３】
切断ユニット１０７の上述のリング状追加傾斜部材が、図７において、部分１７９として別個に示されている。図７において、リング状追加傾斜部材１７９は、以下において支点ピン１７７と称される、２つの対向する放射状に延在するピン状突起部１７７を持つ一方、リング状肌支持傾斜部材１７１は、２つの対向する放射状に延在する凹部１７８の対応する組を持つことが分かる。図７では、さらに、リング状追加傾斜部材１７９が、以下において内側突起部１８３と称される、２つの対向する放射状内側に延在する突起部１８３を更に持つ一方、保持部１７４が、以下において外側突起部１８４と称される、２つの対向する放射状外側に延在する突起部１８４を持つことが示されている。
【００４４】
図７に示される分解された状態から開始して、切断ユニット１０７は、以下の態様において、図６及び図８Ａ〜図８Ｅに示される組み立てられた状態にさせられ得る。ユーザは、まず、リング状追加傾斜部材１７９が、第２の傾斜軸１２周りに上記第２の傾斜可能な態様で、リング状肌支持傾斜部材１７１に対して、懸下されるようにしてもよい。これは、リング状追加傾斜部材１７９の支点ピン１７７をリング状肌支持傾斜部材１７１の凹部１７８に挿入することによって達成される。次に、ユーザは、外部切断部材１７２をリング状追加傾斜部材１７９の中に挿入し、内部切断部材１７３を外部切断部材１７２の中に挿入し、次いで、以下の態様において、リング状追加傾斜部材１７９と保持部１７４との間において、外部切断部材１７２と内部切断部材１７３とをロックしてもよい。保持部１７４は、外側突起部１８４とリング状追加傾斜部材１７９の内側突起部１８３とのスナップ接続を得るため、まず、保持部１７４の外側突起部１８４が、軸方向周りに、且つ、リング状追加傾斜部材１７９に対して回転され得る点までリング状追加傾斜部材１７９の中に軸方向に移動され得る。保持部１７４の上記相対的な回転は、つまみ要素７６のおかげでより容易になされる。勿論、切断ユニット１０７の分解は、上述したステップを逆順で実行することによってなされ得る。
【００４５】
このため、切断ユニット１０７が組み立てられた状態において、支点ピン１７７は、旋回可能な態様で、凹部１７８において受けられる。その結果として、外部切断部材１７２は、第２の傾斜軸周りに上述した第２の傾斜可能な態様で、リング状肌支持傾斜部材１７１に対して懸下される。この第２の傾斜軸は、図８Ｃ〜図８Ｅにおいて、参照符号１２で示されている。上記組み立てられた状態において、保持部１７４は、外部切断部材１７２が第２の傾斜軸１２を横切る方向に移動することを防止することに留意すべきである。外部切断部材１７２は、図８Ｄ及び図８Ｅに図示されているように、第２の傾斜軸１２周りにのみ傾斜可能である。
【００４６】
図６、図７、図８Ａ〜図８Ｅから、保持部１７４は、特に、ここで最初に議論されるような多目的、即ち、「ロック機能」、「二次傾斜機能」、「遊動防止機能」を同時に果たすことが明らかである。換言すれば、シェービングヘッド１０３は、上述した多目的保持部主義に従っている。さらに、保持部１７４は、ロックされた状態において、第１の傾斜軸１１周りのシェービングヘッド本体４，８に対する肌支持傾斜部材１７１の傾斜の動きと、第２の傾斜軸１２周りのリング状肌支持傾斜部材１７１に対する外部切断部材１７２の傾斜の動きと、に同時に追従し、このことが、シェービングヘッド１０３を、上述の二重傾斜追従保持部の実施形態に従ったシェービングヘッドにしていることが明らかである。また、シェービングヘッド１０３が、上述のスナップ式接続二次傾斜実施形態に従ったシェービングヘッドであることが明らかになっている。
【００４７】
図８Ａにおいて最も良く分かるように、リング状追加傾斜部材１７９は、シェービング動作の間、肌との接触を防止されていることに留意すべきである。
【００４８】
ここで、上述の多目的保持部主義に従った、より具体的には、上述の単一傾斜追従保持部の実施形態に従った、シェービングヘッド２０３を図示する、図９、図１０、図１１Ａ、図１１Ｂ、図１２Ａ、図１２Ｂを参照する。
【００４９】
図１１Ａに示されるようなシェービングヘッド２０３の構成は、図２に示されるシェービングヘッド３の構成と類似している。実際、シェービングヘッド２０３は、図１のシェービング装置１において、シェービングヘッド３の代わりに、付与されてもよい。１つの違いは、シェービングヘッド２０３が、参照符号２０７，２０７Ａで示される、２つの同一の切断ユニットを持つ一方、シェービングヘッド３が、３つの同一の切断ユニットを持つということである。
【００５０】
図９、図１０、図１１Ｂ、図１２Ａ、及び、図１２Ｂは、図３、図４、図５Ｃ、図５Ｄ、図５Ｅと、それぞれ極めて類似している。
【００５１】
実際、図１、図２、図３、図４、図５Ａ〜図５Ｅの実施形態との本質的な違いは、シェービングヘッド２０３の切断ユニット２０７がシェービングヘッド３の切断ユニット７と異なるという点のみである。
【００５２】
切断ユニット２０７の、リング状肌支持傾斜部材、外部切断部材、内部切断部材、保持部は、それぞれ、参照符号２７１，２７２，２７３，２７４で示されている。
【００５３】
図９及び図１０から明らかであるように、保持部２７４は、以下においてインターロックピン２９２と称される、４つの円周周りに間隔を空けられた放射状に延在する突起部２９２を持つ一方、リング状肌支持傾斜部材２７１は、以下においてインターロック凹部２９２と称される、４つの円周周りに間隔を空けられた放射状に延在する対応する凹部２９１を持つ。さらに、保持部２７４は、以下においてつまみ要素７６と称される、２つの対向する軸方向に延在する突起部７６を持つ。
【００５４】
図９及び図１０に示される分解された状態から開始して、切断ユニット２０７は、以下の態様において、図１１Ａ、図１１Ｂ、図１２Ａ、図１２Ｂに示される組み立てられた状態にさせられ得る。ユーザは、外部切断部材２７２をリング状肌支持傾斜部材２７１の中に挿入し、内部切断部材２７３を外部切断部材２７２の中に挿入し、次いで、以下の態様において、リング状肌支持傾斜部材２７１と保持部２７４との間において、外部切断部材２７２と内部切断部材２７３とをロックしてもよい。保持部２７４は、保持部２７４のインターロックピン２９２が、リング状肌支持傾斜部材２７１のインターロック凹部２９１の軸方向位置に概ねある点まで、リング状肌支持傾斜部材２７１の中に軸方向に移動され得る。次に、ユーザは、インターロックピン２９２とインターロック凹部２９１との間の強固なインターロックを得るため、軸方向周りに、リング状肌支持傾斜部材２７１に対して、保持部２７４を回転してもよい。保持部２７４の上記相対的な回転は、つまみ要素７６のおかげでより容易になされる。勿論、切断ユニット２０７の分解は、上述したステップを逆順で実行することによってなされ得る。
【００５５】
図９及び図１０から、保持部２７４が、直径方向に対向する第１のウェッジ開口を有する、２つの対向する、軸方向に延在する、第１のウェッジ形状部２８５を持つ一方、リング状肌支持傾斜部材２７１が、直径方向に対向する第２のウェッジ開口を有する、２つの対向する、軸方向に延在する、第２のウェッジ形状部２７８を持つことが更に明らかである。切断ユニット２０７が組み立てられた状態において、２つの第１のウェッジ形状部２８５の２つの各第１開口は、２つの第２のウェッジ形状部２７８の２つの各第２開口に対向する。切断ユニットが組み立てられた状態において、外部切断部材２７２の図示されるフランジ２９７は、或る場所において、２つの第１のウェッジ形状部２８５の１つの第１のウェッジ開口と２つの第２のウェッジ形状部２７８の１つの第２のウェッジ開口との間においてクランプされる一方、直径方向に対向する他の場所において、フランジ２９７は、２つの第１のウェッジ形状部２８５の他の１つの第１のウェッジ開口と２つの第２のウェッジ形状部２７８の他の１つの第２のウェッジ開口との間においてクランプされる。その結果として、外部切断部材２７２は、第２の傾斜軸周りの上述の第２の傾斜可能な態様で、リング状肌支持傾斜部材２７１に対して懸下される。この第２の傾斜軸は、図１１Ａ、図１１Ｂ、図１２Ａ、図１２Ｂにおいて、参照符号１２で示されている。上記組み立てられた状態において、保持部２７４は、外部切断部材２７２が第２の傾斜軸１２を横切る方向に移動することを防止することに留意すべきである。外部切断部材２７２は、図１２Ａ及び図１２Ｂに図示されているように、第２の傾斜軸１２周りにのみ傾斜可能である。
【００５６】
図９、図１０、図１１Ａ、図１１Ｂ、図１２Ａ、図１２Ｂから、保持部２７４は、特に、ここで最初に議論されるような多目的、即ち、「ロック機能」、「二次傾斜機能」、「遊動防止機能」を同時に果たすことが明らかである。換言すれば、シェービングヘッド２０３は、上述した多目的保持部主義に従っている。さらに、切断ユニット２０７が組み立てられた状態において、保持部２７４は、ロックされた状態で、第１の傾斜軸１１周りの上記第１の傾斜可能な態様でシェービングヘッド本体に対する肌支持傾斜部材２７１の傾斜の動きに追従するが、第２の傾斜軸１２周りの上記第２の傾斜可能な態様でリング状肌支持傾斜部材に対する外部切断部材２７２の傾斜の動きには追従しないことが明らかである。換言すれば、シェービングヘッド２０３は、上述の単一傾斜追従実施形態に従ったシェービングヘッドである。
【００５７】
開示の装置７，１０７，２０７の各々は、第１の傾斜軸１１と第２の傾斜軸１２とが、互いに対して垂直である、本発明の上述の好ましい実施形態の一例であることが言及される。
【００５８】
また、開示の装置７，１０７，２０７の各々は、駆動可能な内部切断部材の動きが、第１の傾斜軸１１と第２の傾斜軸１２との両方に対して垂直である回転軸周りの回転運動を有する、本発明の上述の好ましい実施形態の一例であることが更に言及される。
【００５９】
本発明が、上記記述及び図面において詳細に説明及び図示されてきたが、かかる説明及び図示は、例示的なものとして解釈されるべきであり、発明を限定する意図はなく、本発明は、開示の実施形態に限定されない。
【００６０】
例えば、本発明によれば、回転運動に加えて、又は、回転運動に代えて、駆動可能な内部切断部材の動作も往復運動を有していてもよいことが可能である。
【００６１】
本発明を実施する際、図面、開示、及び、添付の請求項の研究から、開示の実施形態に対する他の変形が、当該技術分野における当業者によって、理解及び実施され得る。請求項中、「有する」なる用語は、他の要素又はステップを除外せず、単数形は、複数であることを除外しない。単一のプロセッサ又は他のユニットが、請求項に挙げられた幾つかの項目の機能を果たしてもよい。上記説明の明確性及び簡潔性の目的のため、ここでは、各特徴が、同一又は別個の実施形態の一部として開示されているが、当然、本発明の範囲は、開示される特徴の全て又は幾つかの組み合わせを持つ実施形態を含み得る。特定の手段が相互に異なる従属項において言及されているという単なる事実は、これらの手段の組み合わせが好適に用いられないということを示すものではない。請求項中の任意の参照符号は、本発明の範囲を限定するものとして解釈されるべきではない。
【図１】
2017514624.tif 000003
【図２】
2017514624.tif 000004
【図３】
2017514624.tif 000005
【図４】
2017514624.tif 000006
【図５Ａ】
2017514624.tif 000007
【図５Ｂ】
2017514624.tif 000008
【図５Ｃ】
2017514624.tif 000009
【図５Ｄ】
2017514624.tif 000010
【図５Ｅ】
2017514624.tif 000011
【図６】
2017514624.tif 000012
【図７】
2017514624.tif 000013
【図８Ａ】
2017514624.tif 000014
【図８Ｂ】
2017514624.tif 000015
【図８Ｃ】
2017514624.tif 000016
【図８Ｄ】
2017514624.tif 000017
【図８Ｅ】
2017514624.tif 000018
【図９】
2017514624.tif 000019
【図１０】
2017514624.tif 000020
【図１１Ａ】
2017514624.tif 000021
【図１１Ｂ】
2017514624.tif 000022
【図１２Ａ】
2017514624.tif 000023
【図１２Ｂ】
2017514624.tif 000024
【国際調査報告】
2017514624.tif 000025
2017514624.tif 000026